(57)【要約】【課題】ユーザが手間をかけることなく、地点情報が付加された地図をユーザが容易に読取り可能な状態で表示させることができる情報提供装置および情報提供方法を提供する。【解決手段】記憶部１１に、立寄り地点情報、目的地設定履歴情報および登録地情報の少なくとも一つを含む使用状況情報を記憶する。記憶部１１に記憶される使用状況情報、および取得部１２によって取得されるユーザ情報に基づいて、地図上の地点に関する地点情報のうち、表示部１４に表示するべき地点情報を指示する表示指示情報を生成部１３によって生成する。生成された表示指示情報に基づいて、地点情報が付加された地図を表示部１４によって表示する。【選択図】図１
2016218374.tif 000002
【特許請求の範囲】
【請求項１】
地図上の地点に関する地点情報が付加された地図を表示する表示部と、
ユーザが立寄った地点を表す立寄り地点情報、ユーザによって過去に設定された目的地の履歴を表す目的地設定履歴情報、およびユーザによって予め登録された地点を表す登録地情報の少なくとも一つを含む使用状況情報を記憶する記憶部と、
ユーザに関するユーザ情報を取得する取得部と、
前記記憶部に記憶される前記使用状況情報、および前記取得部によって取得される前記ユーザ情報に基づいて、前記地点情報のうち、前記表示部に表示するべき地点情報を指示する表示指示情報を生成する生成部とを備え、
前記表示部は、前記生成部によって生成される前記表示指示情報に基づいて、前記地点情報が付加された地図を表示することを特徴とする情報提供装置。
【請求項２】
前記取得部は、通信網を介して、前記ユーザ情報を取得することを特徴とする請求項１に記載の情報提供装置。
【請求項３】
前記生成部は、
前記使用状況情報および前記ユーザ情報を統計処理する統計処理部と、
前記統計処理部による統計処理の結果に基づいて、前記表示指示情報を生成する解析部とを備えることを特徴とする請求項１または２に記載の情報提供装置。
【請求項４】
ユーザが立寄った地点を表す立寄り地点情報、ユーザによって過去に設定された目的地の履歴を表す目的地設定履歴情報、およびユーザによって予め登録された地点を表す登録地情報の少なくとも一つを含む使用状況情報と、ユーザに関するユーザ情報とに基づいて、地図上の地点に関する地点情報のうち、表示部に表示するべき地点情報を指示する表示指示情報を生成し、
生成した前記表示指示情報に基づいて、前記地点情報が付加された地図を前記表示部によって表示することを特徴とする情報提供方法。
【発明の詳細な説明】
【技術分野】
【０００１】
本発明は、地図に関する情報を提供する情報提供装置および情報提供方法に関する。
【背景技術】
【０００２】
地図に関する情報を提供する情報提供装置は、たとえば、ナビゲーション装置として使用される。ナビゲーション装置では、地図の利便性の向上を目的として、地図上の地点に関する地点情報が付加された地図が表示される。地点情報としては、たとえば、「〇〇小学校」、「××病院」といった、ランドマークとなり得る施設などの名称が表示される。
【０００３】
従来技術の情報提供装置は、全てのユーザに向けて同じ地点情報を表示するように構成される。したがって、ユーザによっては有用でない地点情報も表示されるという問題がある。たとえば、地点情報として寺社の名称が表示される場合、寺社の名称は、寺社に興味があるユーザにとっては有用であるが、寺社に興味がないユーザにとっては有用ではなく、むしろ煩わしい情報となる。
【０００４】
以上の問題を解決するための技術が、たとえば、特許文献１に開示される。特許文献１に開示される注記名称表示装置は、行政機関および公共機関などのジャンル毎に、目的物の名称の表示である注記名称表示を目立たせるか、または目立たせないかをユーザが設定するように構成される。
【先行技術文献】
【特許文献】
【０００５】
【特許文献１】特開２００５−２２７３４０号公報
【発明の概要】
【発明が解決しようとする課題】
【０００６】
特許文献１に開示される注記名称表示装置では、注記名称表示を目立たせるか、または目立たせないかをユーザが設定しなければならないので、ユーザにとって手間がかかるという問題がある。また、注記名称表示を目立たせるか、または目立たせないかは、ジャンル毎に設定されるので、たとえば、注記名称表示が銀行を表す表示である場合、全ての銀行が表示されてしまうことになる。それを防ぐために、ジャンルを細分化すると、ユーザによる設定の手間がさらに増えるという問題がある。
【０００７】
本発明の目的は、ユーザが手間をかけることなく、地点情報が付加された地図をユーザが容易に読取り可能な状態で表示させることができる情報提供装置および情報提供方法を提供することである。
【課題を解決するための手段】
【０００８】
本発明の情報提供装置は、地図上の地点に関する地点情報が付加された地図を表示する表示部と、ユーザが立寄った地点を表す立寄り地点情報、ユーザによって過去に設定された目的地の履歴を表す目的地設定履歴情報、およびユーザによって予め登録された地点を表す登録地情報の少なくとも一つを含む使用状況情報を記憶する記憶部と、ユーザに関するユーザ情報を取得する取得部と、記憶部に記憶される使用状況情報、および取得部によって取得されるユーザ情報に基づいて、地点情報のうち、表示部に表示するべき地点情報を指示する表示指示情報を生成する生成部とを備え、表示部は、生成部によって生成される表示指示情報に基づいて、地点情報が付加された地図を表示することを特徴とする。
【０００９】
本発明の情報提供方法は、ユーザが立寄った地点を表す立寄り地点情報、ユーザによって過去に設定された目的地の履歴を表す目的地設定履歴情報、およびユーザによって予め登録された地点を表す登録地情報の少なくとも一つを含む使用状況情報と、ユーザに関するユーザ情報とに基づいて、地図上の地点に関する地点情報のうち、表示部に表示するべき地点情報を指示する表示指示情報を生成し、生成した表示指示情報に基づいて、地点情報が付加された地図を表示部によって表示することを特徴とする。
【発明の効果】
【００１０】
本発明の情報提供装置によれば、地図上の地点に関する地点情報が付加された地図が表示部によって表示される。立寄り地点情報、目的地設定履歴情報および登録地情報の少なくとも一つを含む使用状況情報が記憶部によって記憶される。ユーザ情報が取得部によって取得される。記憶部に記憶される使用状況情報と、取得部によって取得されるユーザ情報とに基づいて、地点情報のうち、表示部に表示するべき地点情報を指示する表示指示情報が生成部によって生成される。生成部によって生成される表示指示情報に基づいて、地点情報が付加された地図が表示部によって表示される。
【００１１】
これによって、ユーザが手間をかけることなく、地点情報のうちで、一部の地点情報、たとえばユーザにとって有用と思われる地点情報を表示部に表示させることができる。したがって、地点情報が付加された地図をユーザが容易に読取り可能な状態で表示させることができるので、ユーザの利便性を向上させることができる。たとえば、ユーザは、表示された地図を見て、行きたいと思う施設を容易に見つけることができる。また、ユーザの嗜好または行動パターンが変化した場合、変化したユーザの嗜好または行動パターンに応じた地点情報を表示させることができる。
【００１２】
本発明の情報提供方法によれば、立寄り地点情報、目的地設定履歴情報および登録地情報の少なくとも一つを含む使用状況情報と、ユーザ情報とに基づいて、地図上の地点に関する地点情報のうち、表示部に表示するべき地点情報を指示する表示指示情報が生成される。生成された表示指示情報に基づいて、地点情報が付加された地図が表示される。これによって、ユーザが手間をかけることなく、地点情報のうちで、一部の地点情報、たとえばユーザにとって有用と思われる地点情報を表示部に表示させることができる。したがって、地点情報が付加された地図をユーザが容易に読取り可能な状態で表示させることができるので、ユーザの利便性を向上させることができる。たとえば、ユーザは、行きたい施設を容易に見つけることができる。また、ユーザの嗜好または行動パターンが変化した場合、変化したユーザの嗜好または行動パターンに応じた地点情報を表示させることができる。
【図面の簡単な説明】
【００１３】
【図１】本発明の第１の実施の形態における情報提供装置１の構成を示すブロック図である。
【図２】本発明の第２の実施の形態における情報提供装置２の構成を示すブロック図である。
【図３】本発明の第２の実施の形態における情報表示装置２０のハードウェア構成を示すブロック図である。
【図４】地点情報６７，６８が付加された地図６０の一例を示す図である。
【図５】情報提供処理に関する情報表示装置２０の処理手順の一例を示すフローチャートである。
【図６】情報提供処理に関する情報処理装置３０の処理手順の一例を示すフローチャートである。
【図７】情報提供処理に関する情報表示装置２０の処理手順の一例を示すフローチャートである。
【図８】本発明の第３の実施の形態における情報提供装置３の構成を示すブロック図である。
【発明を実施するための形態】
【００１４】
＜第１の実施の形態＞
図１は、本発明の第１の実施の形態における情報提供装置１の構成を示すブロック図である。本実施の形態の情報提供装置１は、移動体、たとえば車両とともに移動可能に構成される。本実施の形態では、情報提供装置１は、経路を案内するナビゲーション機能を有するナビゲーション装置によって実現される。本発明の他の実施の形態である情報提供方法は、本実施の形態の情報提供装置１によって実行される。情報提供装置１は、記憶部１１、取得部１２、生成部１３および表示部１４を備えて構成される。
【００１５】
記憶部１１は、たとえばハードディスクドライブ（Hard Disk Drive；略称：ＨＤＤ）装置、または半導体メモリなどの記憶装置によって実現される。記憶部１１は、地図を画像として表示するための情報である地図情報を記憶する。
【００１６】
地図情報は、予め定められた縮尺の地図に対応する複数の地図情報が階層化されて構成されている。地図情報は、たとえば、地図上の道路に関する道路情報、地図上の地点に関する地点情報、地図上に表示される施設および道路番号などを表すアイコンに関するアイコン情報を含む。
【００１７】
道路情報は、地図上の道路の種別を表す道路種別情報、地図上の道路の名称を表す道路名称情報、および地図上の道路の位置を表す道路位置情報を含む。地点情報は、地図上の地点の種別を表す地点種別情報、地図上の地点の名称を表す地点名称情報、および地図上の地点の位置を表す地点位置情報を含む。地点名称情報は、たとえば、地図上の地点の地名、施設名、交差点名または道路名などの名称を表す文字情報である。
【００１８】
また記憶部１１は、使用状況情報を記憶する。使用状況情報は、ユーザが立寄った地点を表す立寄り地点情報、ユーザによって過去に設定された目的地の履歴を表す目的地設定履歴情報、およびユーザによって予め登録された地点を表す登録地情報の少なくとも一つを含む。
【００１９】
取得部１２は、ユーザに関するユーザ情報を取得する。ユーザ情報は、たとえば、ユーザの出身地、過去の居住地などのユーザにとって馴染みの深い場所の地名に関する情報、ユーザが過去に行ったネットショッピングに関する情報などである。
【００２０】
生成部１３は、記憶部１１に記憶される使用状況情報と、取得部によって取得されるユーザ情報とに基づいて、地点情報のうち、表示すべき地点情報を指示する表示指示情報を生成する。
【００２１】
表示部１４は、たとえば液晶表示装置によって実現される。表示部１４は、生成部１３によって生成される表示指示情報に基づいて、地点情報を含む地図情報を、表示部１４で取り扱い可能な画像信号に変換する。表示部１４は、変換して得られた画像信号が表す画像情報に対応する画像を表示画面に表示する。これによって、表示部１４は、地点情報が付加された地図を表示画面に表示する。
【００２２】
本実施の形態では、記憶部１１に記憶される使用状況情報と、取得部１２によって取得されるユーザ情報とに基づいて、地点情報のうち、表示部１４に表示するべき地点情報を指示する表示指示情報が生成部１３によって生成される。生成部１３によって生成される表示指示情報に基づいて、地点情報が付加された地図が表示部１４によって表示される。
【００２３】
これによって、ユーザが手間をかけることなく、地点情報のうちで、一部の地点情報、たとえばユーザにとって有用と思われる地点情報を表示部１４に表示させることができる。したがって、地点情報が付加された地図をユーザが容易に読取り可能な状態で表示させることができるので、ユーザの利便性を向上させることができる。たとえば、ユーザは、行きたい施設を容易に見つけることができる。また、ユーザの嗜好または行動パターンが変化した場合、変化したユーザの嗜好または行動パターンに応じた地点情報を表示させることができる。
【００２４】
＜第２の実施の形態＞
図２は、本発明の第２の実施の形態における情報提供装置２の構成を示すブロック図である。本実施の形態の情報提供装置２は、情報表示装置２０および情報処理装置３０を備えて構成される。情報表示装置２０は、移動体、たとえば車両４０に搭載可能に構成される。車両４０は、情報表示装置２０とともに、全地球測位システム（Global Positioning System；略称：ＧＰＳ）センサ４１、車速センサ４２およびジャイロセンサ４３を搭載する。本実施の形態では、情報表示装置２０は、経路を案内するナビゲーション機能を有するナビゲーション装置によって実現される。情報処理装置３０は、たとえばサーバ装置によって実現される。本発明の他の実施の形態である情報提供方法は、本実施の形態の情報提供装置２によって実行される。
【００２５】
情報表示装置２０は、表示部１４、表示装置側記憶部２１、表示装置側通信部２５、表示装置側制御部２６および入力部２８を備えて構成される。表示装置側制御部２６は、立寄り地点決定部２７を備える。
【００２６】
表示装置側記憶部２１は、たとえばＨＤＤ装置、または半導体メモリなどの記憶装置によって実現される。表示装置側記憶部２１は、使用状況情報を記憶する。本実施の形態では、表示装置側記憶部２１は、使用状況情報として、立寄り地点情報２２、目的地設定履歴情報２３および登録地情報２４の少なくとも一つを記憶する。立寄り地点情報２２は、ユーザが立寄った地点を表す情報である。目的地設定履歴情報２３は、ユーザによって過去に設定された目的地の履歴を表す情報である。登録地情報２４は、ユーザによって予め登録された地点を表す情報である。
【００２７】
表示装置側記憶部２１は、使用状況情報に加えて、情報表示装置２０を識別するための情報（以下「装置識別情報」という場合がある）を記憶する。本実施の形態では、装置識別情報として、車両４０を識別するための情報である車両識別情報（以下「車両ＩＤ」という）が用いられる。
【００２８】
表示装置側通信部２５は、たとえばインターネットなどの通信網を介して、情報処理装置３０と通信可能に接続される。情報表示装置２０は、表示装置側通信部２５によって、情報処理装置３０と通信することができる。
【００２９】
表示装置側制御部２６は、たとえば中央処理装置（Central Processing Unit；略称：ＣＰＵ）と、書き込み可能なＲＡＭ（Random Access Memory）などのメモリとによって構成される。メモリは、制御プログラムを記憶する。ＣＰＵが、メモリに記憶されている制御プログラムを実行することによって、表示部１４、表示装置側記憶部２１および表示装置側通信部２５を統括的に制御する。
【００３０】
ＧＰＳセンサ４１は、ＧＰＳ衛星から送信される電波信号を、ＧＰＳ用アンテナを介して受信し、受信した電波信号に基づいて車両の現在位置を検出する。ＧＰＳセンサ４１は、検出した車両の現在位置を表す現在位置情報を生成し、生成した現在位置情報を表示装置側制御部２６に与える。
【００３１】
車速センサ４２は、車両４０から与えられる車速信号に基づいて、車両４０の走行速度（以下「車速」という場合がある）を検出する。車速センサ４２は、検出した車速を表す車速情報を生成し、生成した車速情報を表示装置側制御部２６に与える。
【００３２】
ジャイロセンサ４３は、車両４０の進行方位を検出する。ジャイロセンサ４３は、検出した車両４０の進行方位を表す方位情報を生成し、表示装置側制御部２６に与える。
【００３３】
表示装置側制御部２６は、ＧＰＳセンサ４１から与えられる現在位置情報と、車速センサ４２から与えられる車速情報と、ジャイロセンサ４３から与えられる方位情報とに基づいて、地図上において車両４０が存在する位置（以下「自車位置」という場合がある）を求める。表示装置側制御部２６は、求めた自車位置を表す自車位置情報を生成して、表示部１４に与える。
【００３４】
表示装置側制御部２６の立寄り地点決定部２７は、自車位置情報と地図情報とに基づいて、車両４０が同一の地点に予め定める時間以上停車していると判断すると、その地点を立寄り地点として決定する。ここで、同一の地点とは、予め定める範囲内に含まれる地点をいう。予め定める範囲は、たとえば地図上の半径１０ｍの円で表される領域である。予め定める時間は、たとえば３０分である。本実施の形態では、予め定める範囲および予め定める時間は、ユーザによって設定可能である。立寄り地点決定部２７は、決定した立寄り地点を表す立寄り地点情報２２を生成し、生成した立寄り地点情報２２を表示装置側記憶部２１に与えて記憶させる。
【００３５】
表示装置側制御部２６は、求めた自車位置情報、ならびに表示装置側記憶部２１に記憶される使用状況情報および装置識別情報を、表示装置側通信部２５を介して、情報処理装置３０に送信する。装置識別情報は、使用状況情報が、どの情報表示装置２０から送信されたものかが分かるように、使用状況情報に対応付けられて送信される。本実施の形態では、装置識別情報として、車両ＩＤが送信される。
【００３６】
入力部２８は、ユーザによって操作される。入力部２８は、たとえば、操作スイッチおよび操作ボタンを含む。入力部２８は、ユーザが、目的地および経由地などの情報を入力するときに用いられる。ユーザによって入力部２８が操作されると、入力部２８は、ユーザの入力操作に応じた操作情報を生成して、表示装置側制御部２６に与える。
【００３７】
入力部２８は、操作スイッチおよび操作ボタンの代わりに、タッチパネル、または音声による操作入力が可能な音声入力装置によって構成されてもよい。入力部２８がタッチパネルで構成される場合、タッチパネルは、たとえば、表示部１４の表面に設置され、ユーザのタッチ操作とタッチ位置とを検出する。タッチパネルは、検出したタッチ操作とタッチ位置とに応じた操作情報を生成して、表示装置側制御部２６に与える。入力部２８が音声入力装置で構成される場合、音声入力装置は、入力された音声を認識する。音声入力装置は、認識した音声に応じた操作情報を生成して、表示装置側制御部２６に与える。
【００３８】
情報処理装置３０は、処理装置側通信部３１、処理装置側記憶部３２および処理装置側制御部３３を備えて構成される。処理装置側制御部３３は、生成部１３Ａを備える。生成部１３Ａは、統計処理部３４およびデータマイニング部３５を備える。処理装置側通信部３１は、取得部に相当する。データマイニング部３５は、解析部に相当する。
【００３９】
処理装置側通信部３１は、たとえばインターネットなどの通信網を介して、情報表示装置２０、具体的には表示装置側通信部２５と通信可能に接続される。情報処理装置３０は、処理装置側通信部３１によって、情報表示装置２０と通信することができる。
【００４０】
処理装置側通信部３１は、情報表示装置２０から、車両４０の自車位置情報、使用状況情報および車両ＩＤを受信する。処理装置側通信部３１は、受信した車両４０の自車位置情報、使用状況情報および車両ＩＤを処理装置側制御部３３に与える。
【００４１】
また処理装置側通信部３２は、たとえばインターネットなどの通信網を介して、情報処理装置３０の外部、具体的には情報提供装置２の外部から、車両４０のユーザに関するユーザ情報を取得する。ユーザ情報は、たとえば、ユーザの出身地、過去の居住地などの馴染みの深い場所の地名に関する情報、ユーザが利用したネットショッピングに関する情報、ショッピングモールのウェブサイトのテナント情報などである。処理装置側通信部３２は、取得したユーザ情報を処理装置側制御部３３に与える。
【００４２】
処理装置側制御部３３は、たとえばＣＰＵと、書き込み可能なＲＡＭなどのメモリとによって構成される。メモリは、制御プログラムを記憶する。ＣＰＵが、メモリに記憶されている制御プログラムを実行することによって、処理装置側通信部３１および処理装置側記憶部３２を統括的に制御する。
【００４３】
処理装置側制御部３３は、処理装置側通信部３１から与えられる車両４０の自車位置情報、使用状況情報および車両ＩＤを、処理装置側記憶部３２に与えて記憶させる。処理装置側記憶部３２は、処理装置側制御部３３から与えられる車両４０の自車位置情報、使用状況情報および車両ＩＤを記憶する。
【００４４】
処理装置側制御部３３の生成部１３Ａを構成する統計処理部３４は、予め定める統計処理タイミングで、処理装置側記憶部３２に記憶される使用状況情報と、処理装置側通信部３１によって取得されたユーザ情報とを統計処理する。統計処理タイミングは、たとえば、予め定める周期に設定される。
【００４５】
統計処理部３４は、統計処理として、使用状況情報およびユーザ情報を解析し、ユーザの行動エリア、およびユーザに関連の強い施設のジャンルなどを統計的に求める。具体的には、統計処理部３４は、統計処理として、ユーザがどの地点に何回訪れているかなどの頻度、ユーザが訪れる時間帯などを統計的に求める処理を行う。統計処理部３４は、統計処理の結果をデータマイニング部３５に与える。
【００４６】
データマイニング部３５は、統計処理部３４から与えられる統計処理の結果に基づいて、地点情報のうち、車両４０の表示部１４に表示するべき地点情報を指示する表示指示情報を生成する。
【００４７】
データマイニング部３５は、ユーザ毎に、表示指示情報を生成する。データマイニング部３５は、統計処理の結果として、たとえば、ユーザ毎の趣味の趣向、同じ趣味趣向を有するユーザ同士の関連性などに基づいて、表示指示情報を生成する。ユーザ毎の趣味の趣向は、たとえば、アウトドア志向である、コンビニエンスストアは〇〇を好む、△△によく行くなどである。同じ趣味趣向を有するユーザ同士の関連性は、たとえば、アウトドア志向のユーザは、本屋を好む傾向にあるなどである。
【００４８】
データマイニング部３５は、たとえば、使用状況情報に含まれる目的地設定履歴情報２３で示される目的地、登録地情報２４で表される登録地、および立寄り地点情報２２で表される立寄り地点の施設の名称、ならびにこれらの施設と類似するジャンルの施設の名称を地点情報として表示するように指示する表示指示情報を生成する。
【００４９】
データマイニング部３５は、広域地図が表示される場合など、多数の地点情報を表示可能な場合には、予め定める優先順位に従って、地点情報を表示するか否かを決定する。優先順位は、たとえば、登録地の登録順、目的地設定履歴情報で示される目的地の設定回数の順、立寄り地点の立寄り回数の順、類似ジャンル施設の順である。
【００５０】
データマイニング部３５は、生成した表示指示情報を、処理装置側通信部３１を介して情報表示装置２０に送信する。
【００５１】
図３は、本発明の第２の実施の形態における情報表示装置２０のハードウェア構成を示すブロック図である。情報表示装置２０は、図３に示すように、少なくとも処理回路５１、メモリ５２および入出力インタフェース５３を含んで構成される。
【００５２】
前述の図２に示すＧＰＳセンサ４１、車速センサ４２およびジャイロセンサ４３は、入出力インタフェース５３に接続される。本実施の形態では、ＧＰＳセンサ４１、車速センサ４２およびジャイロセンサ４３が、情報表示装置２０に外付けされる構成としたが、これらのハードウェアが情報表示装置２０の内部に設けられる構成にしてもよい。
【００５３】
情報表示装置２０における立寄り地点決定部２７の機能は、処理回路５１によって実現される。すなわち、情報表示装置２０は、自車位置情報と地図情報とに基づいて、車両４０が同一の地点に予め定める時間以上停車していると判断すると、その地点を立寄り地点として決定し、決定した立寄り地点を表す立寄り地点情報２２を生成し、生成した立寄り地点情報２２を、メモリ５２で実現される表示装置側記憶部２１に与えて記憶させるための処理回路５１を備える。
【００５４】
処理回路５１は、メモリ５２に記憶されるプログラムを実行するＣＰＵ（中央処理装置、処理装置、演算装置、マイクロプロセッサ、マイクロコンピュータ、プロセッサ、またはＤＳＰ（Digital Signal Processor）ともいう）によって構成される。
【００５５】
情報表示装置２０における立寄り地点決定部２７の機能は、ソフトウェア、ファームウェア、またはソフトウェアとファームウェアとの組み合わせによって実現される。ソフトウェアおよびファームウェアは、プログラムとして記述され、メモリ５２に記憶される。
【００５６】
処理回路５１は、メモリ５２に記憶されたプログラムを読み出して実行することによって、前述の立寄り地点決定部２７の機能を実現する。すなわち、情報表示装置２０は、処理回路５１によって実行されるときに、自車位置情報と地図情報とに基づいて、車両４０が同一の地点に予め定める時間以上停車していると判断すると、その地点を立寄り地点として決定するステップと、決定した立寄り地点を表す立寄り地点情報２２を生成し、生成した立寄り地点情報２２を、メモリ５２で実現される表示装置側記憶部２１に与えて記憶させるステップとが結果的に実行されることになるプログラムを記憶するためのメモリ５２を備える。
【００５７】
また、このプログラムは、情報表示装置２０における立寄り地点決定部２７が行う処理の手順および方法をコンピュータに実行させるものであるともいえる。
【００５８】
ここで、メモリ５２は、たとえば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性もしくは揮発性の半導体メモリ、磁気ディスク、フレキシブルディスク、光ディスク、コンパクトディスク、ミニディスク、またはＤＶＤ（Digital Versatile Disc）などによって構成される。
【００５９】
本実施の形態における情報処理装置３０のハードウェア構成は、図３に示す情報表示装置２０のハードウェア構成と同様であるので、図示および共通する説明を省略する。情報処理装置３０は、図３に示す情報表示装置２０と同様に、少なくとも処理回路、メモリおよび入出力インタフェースを含んで構成される。
【００６０】
情報処理装置３０における統計処理部３４およびデータマイニング部３５の各機能は、処理回路によって実現される。すなわち、情報処理装置３０は、処理装置側記憶部３２に記憶される使用状況情報と、処理装置側通信部３１によって取得されたユーザ情報とを統計処理し、統計処理の結果に基づいて、地点情報のうち、車両４０の表示部１４に表示するべき地点情報を指示する表示指示情報を生成するための処理回路を備える。
【００６１】
処理回路は、メモリに記憶されるプログラムを実行するＣＰＵ（中央処理装置、処理装置、演算装置、マイクロプロセッサ、マイクロコンピュータ、プロセッサ、またはＤＳＰ（Digital Signal Processor）ともいう）によって構成される。
【００６２】
情報処理装置３０における統計処理部３４およびデータマイニング部３５の機能は、ソフトウェア、ファームウェア、またはソフトウェアとファームウェアとの組み合わせによって実現される。ソフトウェアおよびファームウェアは、プログラムとして記述され、メモリに記憶される。
【００６３】
処理回路は、メモリに記憶されたプログラムを読み出して実行することによって、統計処理部３４およびデータマイニング部３５の各部の機能を実現する。すなわち、情報処理装置３０は、処理回路によって実行されるときに、処理装置側記憶部３２に記憶される使用状況情報と、処理装置側通信部３１によって取得されたユーザ情報とを統計処理するステップと、統計処理の結果に基づいて、地点情報のうち、車両４０の表示部１４に表示するべき地点情報を指示する表示指示情報を生成するステップとが結果的に実行されることになるプログラムを記憶するためのメモリを備える。
【００６４】
また、このプログラムは、情報処理装置３０における統計処理部３４およびデータマイニング部３５が行う処理の手順および方法をコンピュータに実行させるものであるともいえる。
【００６５】
ここで、メモリは、たとえば、ＲＡＭ、ＲＯＭ、フラッシュメモリ、ＥＰＲＯＭ、ＥＥＰＲＯＭなどの、不揮発性もしくは揮発性の半導体メモリ、磁気ディスク、フレキシブルディスク、光ディスク、コンパクトディスク、ミニディスク、またはＤＶＤ（Digital Versatile Disc）などによって構成される。
【００６６】
図４は、地点情報６７，６８が付加された地図６０の一例を示す図である。本実施の形態では、図４に示すように、地点情報６７，６８が付加された地図６０が、表示部１４の表示画面に表示される。地図６０上には、病院６１、神社６２、警察署６３、寺院６４および学校６５などの地図記号が表示されている。本実施の形態では、寺院の地図記号に付随して、参照符号「６８」で示される「△△寺」という名称が地点情報として表示されている。その他の地図記号には、地点情報は付随して表示されていない。また斜線のハッチングを付した領域６６に付随して、参照符号「６７」で示される「〇〇ゴルフ場」という名称が地点情報として表示されている。
【００６７】
図５は、情報提供処理に関する情報表示装置２０の処理手順の一例を示すフローチャートである。図５に示すフローチャートの処理は、情報提供装置２を構成する情報表示装置２０の電源が投入されるか、または予め定める更新周期に達すると開始され、ステップａ１に移行する。
【００６８】
ステップａ１において、表示装置側制御部２６は、新規の目的地が設定されたか否かを判断する。新規の目的地が設定されたと判断された場合は、ステップａ４に移行し、新規の目的地が設定されていないと判断された場合は、ステップａ２に移行する。
【００６９】
ステップａ２において、表示装置側制御部２６は、新規の登録地が設定されたか否かを判断する。新規の登録地が設定されたと判断された場合は、ステップａ４に移行し、新規の登録地が設定されていないと判断された場合は、ステップａ３に移行する。
【００７０】
ステップａ３において、表示装置側制御部２６は、予め定める範囲内に予め定める時間以上停車しているか否かを判断する。予め定める範囲内に予め定める時間以上停車していると判断された場合は、ステップａ４に移行し、予め定める範囲内に予め定める時間以上停車していないと判断された場合は、ステップａ５に移行する。
【００７１】
ステップａ４において、表示装置側制御部２６は、使用状況情報を表示装置側記憶部２１に記憶する。ステップａ１において新規の目的地が設定されたと判断された場合は、使用状況情報として、目的地設定履歴情報が表示装置側記憶部２１に記憶される。ステップａ２において新規の登録地が設定されたと判断された場合は、使用状況情報として、登録地情報が表示装置側記憶部２１に記憶される。ステップａ３において予め定める範囲内に予め定める時間以上停車していると判断された場合は、使用状況情報として、立寄り地点情報が表示装置側記憶部２１に記憶される。ステップａ４の処理が終了すると、ステップａ５に移行する。
【００７２】
ステップａ５において、表示装置側制御部２６は、使用状況情報の送信タイミングか否かを判断する。送信タイミングは、たとえば予め定める周期に設定される。これによって、予め定める周期毎に使用状況情報の送信が行われるようにすることができる。送信タイミングは、これに限定されるものではなく、たとえば、情報表示装置２０において、使用状況情報のほかに情報処理装置３０に送信すべき情報が発生したときとしてもよいし、車両４０のＡＣＣ（Adaptive Cruise Control）がオン（ＯＮ）にされたときとしてもよい。
【００７３】
ステップａ５において、使用状況情報の送信タイミングであると判断された場合は、ステップａ６に移行し、使用状況情報の送信タイミングでないと判断された場合は、ステップａ１に戻る。
【００７４】
ステップａ６において、表示装置側制御部２６は、使用状況情報が表示装置側記憶部２１に記憶されているか否かを判断する。使用状況情報が表示装置側記憶部２１に記憶されていると判断された場合は、ステップａ７に移行し、使用状況情報が表示装置側記憶部２１に記憶されていないと判断された場合は、ステップａ１に戻る。
【００７５】
ステップａ７において、表示装置側制御部２６は、表示装置側記憶部２１に記憶された使用状況情報を、表示装置側通信部２５を介して、情報処理装置３０に送信する。使用状況情報は、前述のように、装置識別情報とともに送信される。本実施の形態では、使用状況情報は、装置識別情報と自車位置情報とともに送信される。ステップａ７の処理が終了すると、全ての処理手順を終了する。
【００７６】
図６は、情報提供処理に関する情報処理装置３０の処理手順の一例を示すフローチャートである。図６に示すフローチャートの処理は、情報提供装置２を構成する情報処理装置３０の電源が投入されるか、または予め定める更新周期に達すると開始され、ステップｂ１に移行する。
【００７７】
ステップｂ１において、処理装置側制御部３３は、処理装置側通信部３１を介して、情報表示装置２０から使用状況情報を受信したか否かを判断する。情報表示装置２０から使用状況情報を受信したと判断された場合は、ステップｂ２に移行し、情報表示装置２０から使用状況情報を受信していないと判断された場合は、情報表示装置２０から使用状況情報を受信するまで待機する。
【００７８】
ステップｂ２において、処理装置側制御部３３は、受信した使用状況情報を処理装置側記憶部３２に記憶する。ステップｂ２の処理が終了すると、ステップｂ３に移行する。
【００７９】
ステップｂ３において、処理装置側制御部３３は、処理装置側記憶部３２に記憶した使用状況情報の処理タイミングか否かを判断する。使用状況情報の処理タイミングであると判断された場合は、ステップｂ４に移行し、使用状況情報の処理タイミングでないと判断された場合は、使用状況情報の処理タイミングになるまで待機する。
【００８０】
ステップｂ４において、処理装置側制御部３３の統計処理部３４は、使用状況情報の統計処理を行う。ステップｂ４の処理が終了すると、ステップｂ５に移行する。
【００８１】
ステップｂ５において、処理装置側制御部３３は、処理装置側通信部３１を介して、情報処理装置３０の外部、具体的には情報提供装置２の外部から、ユーザ情報を取得する。ステップｂ５の処理が終了すると、ステップｂ６に移行する。
【００８２】
ステップｂ６において、処理装置側制御部３３のデータマイニング部３５は、ステップｂ５の統計処理部３４による統計処理の結果、およびステップｂ５で取得したユーザ情報に基づいて、データマイニング処理を行う。ステップｂ６の処理が終了すると、ステップｂ７に移行する。
【００８３】
ステップｂ７において、処理装置側制御部３３は、データマイニング部３５によるデータマイニング処理の結果をユーザ毎の表示指示情報として、処理装置側記憶部３２に記憶する。ステップｂ７の処理が終了すると、ステップｂ８に移行する。
【００８４】
ステップｂ８において、処理装置側制御部３３は、ユーザ毎の表示指示情報を、処理装置側通信部３１を介して、情報表示装置２０に送信する。ステップｂ８の処理が終了すると、全ての処理手順を終了する。
【００８５】
図７は、情報提供処理に関する情報表示装置２０の処理手順の一例を示すフローチャートである。図７に示すフローチャートの処理は、情報提供装置２を構成する情報表示装置２０の電源が投入されるか、または予め定める更新周期に達すると開始され、ステップｃ１に移行する。
【００８６】
ステップｃ１において、表示装置側制御部２６は、表示装置側通信部２５を介して、情報処理装置３０から表示指示情報を受信したか否かを判断する。情報処理装置３０から表示指示情報を受信したと判断された場合は、ステップｃ２に移行し、情報処理装置３０から表示指示情報を受信していないと判断された場合は、情報処理装置３０から表示指示情報を受信するまで待機する。
【００８７】
ステップｃ２において、表示装置側制御部２６は、受信した表示指示情報に基づいて、地点情報が付加された地図を表示部１４に表示する。ステップｃ２の処理が終了すると、全ての処理手順を終了する。
【００８８】
以上に述べたように本実施の形態の情報提供装置２によれば、情報表示装置２０の表示部１４によって、地点に関する地点情報が付加された地図が表示される。表示装置側記憶部２１によって、立寄り地点情報２２、目的地設定履歴情報２３および登録地情報２４の少なくとも一つを含む使用状況情報が記憶される。
【００８９】
情報処理装置３０の処理装置側通信部３１によって、情報処理装置３０の外部、具体的には情報提供装置２の外部から、ユーザ情報が取得される。また処理装置側通信部３１によって、情報提供装置２の表示装置側制御部２６および表示装置側通信部２５を介して、表示装置側記憶部２１に記憶される使用状況情報が受信されて取得される。
【００９０】
処理装置側通信部３１によって取得されるユーザ情報と使用状況情報とに基づいて、地点情報のうち、表示部１４に表示するべき地点情報を指示する表示指示情報が統計処理部３４およびデータマイニング部３５によって生成される。統計処理部３４およびデータマイニング部３５によって生成される表示指示情報に基づいて、地点情報が付加された地図が表示部１４によって表示される。
【００９１】
これによって、ユーザが手間をかけることなく、地点情報のうちで、一部の地点情報、たとえばユーザにとって有用と思われる地点情報を表示部１４に表示させることができる。したがって、地点情報が付加された地図をユーザが容易に読取り可能な状態で表示させることができるので、ユーザの利便性を向上させることができる。たとえば、ユーザは、行きたい施設を容易に見つけることができる。また、ユーザの嗜好または行動パターンが変化した場合、変化したユーザの嗜好または行動パターンに応じた地点情報を表示させることができる。
【００９２】
また本実施の形態では、取得部である処理装置側通信部３１は、通信網を介して、前記ユーザ情報を取得する。これによって、ユーザ情報を広範囲にわたって収集することができるので、生成部１３Ａにおいて、より適切な表示指示情報を生成することができる。したがって、情報表示装置２０の表示部１４において、地点情報が付加された地図を、より容易に読取り可能な状態で表示させることができる。
【００９３】
また本実施の形態では、生成部１３Ａは、統計処理部３４と、解析部であるデータマイニング部３５とを備える。統計処理部３４によって、使用状況情報およびユーザ情報が統計処理される。統計処理部３４による統計処理の結果に基づいて、データマイニング部３５によって、表示指示情報が生成される。これによって、さらに適切な表示指示情報を生成することができる。したがって、情報表示装置２０の表示部１４において、地点情報が付加された地図を、さらに容易に読取り可能な状態で表示させることができる。
【００９４】
以上に述べた本実施の形態の情報提供装置２は、車両に搭載可能なナビゲーション装置だけでなく、通信端末装置などにも適用することができる。通信端末装置は、たとえば通信を行う機能を有するＰＮＤ（Portable Navigation Device）および携帯通信装置である。携帯通信装置は、たとえば携帯電話機、スマートフォンおよびタブレット型端末装置である。
【００９５】
たとえば、情報提供装置２の情報表示装置２０に備えられる表示部１４、表示装置側記憶部２１、表示装置側通信部２５、表示装置側制御部２６および立寄り地点決定部２７、ならびに情報処理装置３０に備えられる処理装置側通信部３１、処理装置側記憶部３２、処理装置側制御部３３、統計処理部３４およびデータマイニング部３５の機能は、携帯通信装置などの通信端末装置に配置されてもよい。
【００９６】
前述の表示部１４、表示装置側記憶部２１、表示装置側通信部２５、表示装置側制御部２６、立寄り地点決定部２７、処理装置側通信部３１、処理装置側記憶部３２、処理装置側制御部３３、統計処理部３４およびデータマイニング部３５の機能が携帯通信装置に配置される場合の情報提供装置３の一例を、以下の第３の実施の形態で説明する。
【００９７】
＜第３の実施の形態＞
図８は、本発明の第３の実施の形態における情報提供装置３の構成を示すブロック図である。本実施の形態の情報提供装置３は、第１および第２の実施の形態の情報提供装置１，２と同一の構成を含んでいるので、同一の構成については同一の参照符号を付して、共通する説明を省略する。
【００９８】
本実施の形態の情報提供装置３は、移動体、たとえば車両４０Ａに搭載可能に構成される。車両４０Ａは、情報提供装置３とともに、ＧＰＳセンサ４１、車速センサ４２およびジャイロセンサ４３を搭載する。本実施の形態では、情報提供装置３は、経路を案内するナビゲーション機能を有する携帯通信装置によって実現される。本発明の他の実施の形態である情報提供方法は、本実施の形態の情報提供装置３によって実行される。
【００９９】
情報提供装置３は、表示部１４、記憶部７１、通信部７２、制御部７３および入力部２８を備えて構成される。制御部７３は、立寄り地点決定部２７および生成部１３Ａを備える。生成部１３Ａは、統計処理部３４およびデータマイニング部３５を備える。
【０１００】
以上のように構成される本実施の形態の情報提供装置３においても、前述の第１および第２の実施の形態の情報提供装置１，２と同様の効果を得ることができる。
【０１０１】
なお、本発明は、その発明の範囲内において、各実施の形態を自由に組み合わせることが可能である。また、各実施の形態の任意の構成要素を適宜、変更または省略することが可能である。
【符号の説明】
【０１０２】
１，２，３  情報提供装置、１１，７１  記憶部、１２  取得部、１３，１３Ａ  生成部、１４  表示部、２０  情報表示装置、２１  表示装置側記憶部、２２  立寄り地点情報、２３  目的地設定履歴情報、２４  登録地情報、２５  表示装置側通信部、２６  表示装置側制御部、２７  立寄り地点決定部、２８  入力部、３０  情報処理装置、３１  処理装置側通信部、３２  処理装置側記憶部、３３  処理装置側制御部、３４  統計処理部、３５  データマイニング部、４０，４０Ａ  車両、４１  ＧＰＳセンサ、４２  車速センサ、４３  ジャイロセンサ、５１  処理回路、５２  メモリ、５３  入出力インタフェース、７２  通信部、７３  制御部。
【図１】
2016218374.tif 000003
【図２】
2016218374.tif 000004
【図３】
2016218374.tif 000005
【図４】
2016218374.tif 000006
【図５】
2016218374.tif 000007
【図６】
2016218374.tif 000008
【図７】
2016218374.tif 000009
【図８】
2016218374.tif 000010